(57)【特許請求の範囲】
【請求項１】
外周枠の内側に凹状部を形成することによって前記外周枠の前面に隆起した縁部を設け、前記凹状部に横一文字状の硬貨投入口を設ける硬貨投入装置において、
前記外周枠の内側を球面状に突出させた凸状部を形成するとともに、該凸状部を球面状に陥没させた凹状部を前記外周枠の中心より上側に偏心した位置に形成することにより、前記外周枠の下部に隆起した案内縁部を形成するとともに、前記凹状部の上部を下部より後方に傾斜させることを特徴とする硬貨投入装置。
【請求項２】
前記凹状部の中心より下側に前記硬貨投入口を形成することを特徴とする請求項１記載の硬貨投入装置。
【発明の詳細な説明】
【０００１】
【発明の属する技術分野】
本発明は、例えば、各種自動販売機および券売機等に備えられて硬貨を投入する際に必要な硬貨投入装置に関する。
【０００２】
【従来の技術】
図６は従来の硬貨投入装置の正面図、図７は図６のＡ−Ａ断面図を示し、硬貨投入装置１は、前面側には、円形の全体について球面状の凹状部２を形成し、凹状部２の外周の縁部全体に外周リング３を形成し、凹状部２の中央に横方向に細長く両端部で上方へ屈曲した硬貨投入口４を形成している。硬貨投入口４は、外側の入口側５から内側の出口側６へかけて入口側５の位置より出口側６の位置を低くするように傾斜し、出口側６の方が広く形成され、投入される硬貨が案内され投入しやすいようにしている。
【０００３】
硬貨投入装置１の背面側は、取付部７，８を形成し、本体パネル１０に開けた穴に前方から硬貨投入装置１を嵌め込んで本体パネル１０を当接させ上下に配置する取付金具１１を介して取付部７，８に後方からビス１２で取付けている。
【０００４】
【発明が解決しようとする課題】
ところで、図６および図７で説明した硬貨投入装置１は、外周リング３の径が小さく外縁の隆起部分が比較的細く硬貨を投入する際に指や手の甲が先に当接してしまい硬貨投入口４への硬貨の投入に難点があった。また、硬貨投入口４の位置にしても凹状部２の中央に形成されており、いわゆる握り入れの場合、人指し指、中指等の第２関節が外周リング３の部分に当たってしまい硬貨投入口４へ硬貨を導くのに難点があった。
【０００５】
そこで、本発明は誰もが投入し易い硬貨投入装置を提供することを目的とする。
【０００６】
【課題を解決するための手段】
請求項１の発明は、外周枠の内側に凹状部を形成することによって外周枠の前面に隆起した縁部を設け、凹状部に横一文字状の硬貨投入口を設ける硬貨投入装置において、外周枠の内側を球面状に突出させた凸状部を形成するとともに、該凸状部を球面状に陥没させた凹状部を外周枠の中心より上側に偏心した位置に形成することにより、外周枠の下部に隆起した案内縁部を形成するとともに、凹状部の上部を下部より後方に傾斜させるようにしたものである。この手段によれば、外周枠の下部内側に案内面を形成したので、この案内面に中指等以下の指の第２関節を当て指を保持でき、凹状部が上向きに傾斜するので親指が凹状部の上部に当接して邪魔とならず硬貨投入口へ硬貨を導くことができ硬貨の投入がし易い。
【０００７】
請求項２の発明は、請求項１記載の硬貨投入装置において、凹状部の中心より下側に硬貨投入口を形成するようにしたものである。この手段によれば、硬貨投入口を凹状部の中心よりやや下側としたので、外周枠の下部内側の案内面で中指等を当てて保持したとき指先が届く接近した位置に硬貨投入口があるので、硬貨の投入がし易い。
【０００８】
【発明の実施の形態】
以下、本発明の実施の形態を図面を参照して説明する。
【０００９】
図１乃至図４は、本発明の実施の形態を示す硬貨投入装置１Ａの構成図であって、従来例を示す図６および図７と同一部分または相当部分は、同一符号若しくはアルファベットの添字を付してある。
【００１０】
図において、硬貨投入装置１Ａは、円形の全体の外周枠を従来の硬貨投入装置１より大きく形成し、外周枠を所定の曲率で凸状部（図２に示すＣ部分）に形成している。そして、この凸状部に対して中心よりやや上側に偏心を有する球面状の湾曲した凹状部２Ａを形成している。すなわち、図１および図２に示すように外周リング３Ａの外周枠の中心Ａ１よりａ寸法上側のＡ２に偏心して外周枠に対して湾曲した凹状部２Ａを形成している。そして、外周リング３Ａの上側部分３Ａ１は、帯状の部分が狭く下側部分３Ａ２は帯状の隆起した部分が広く形成され、下側部分３Ａ２が上側部分３Ａ１より平坦に隆起して外周リング３Ａが上方へ行くに従って後方に傾斜（図４に示すｅ寸法）し、かつ、帯状部分が狭く形成している。さらに、硬貨投入口４Ａは、凹状部２Ａの中心よりやや下側（図４に示すｂ寸法）に形成して硬貨投入口４Ａの入口側５を出口側６より高位置として入口側５から出口側６に行くに従って傾斜している。
【００１１】
硬貨投入装置１Ａの背面側には、上側と下側に取付部７，８を形成し、本体パネル１０に形成される装着穴へ硬貨投入装置１Ａを前方から挿入し取付金具１１によって取付部７，８へビス１２によって取付けられるようになっている。
【００１２】
かかる構成の硬貨投入装置１Ａを使用するとき、まず、硬貨の中心当たりの上側に親指と硬貨の下側に人指し指でつかんで投入動作を始める。この場合、図５に示すように、外周リング３Ａの下側部分３Ａ２の広い帯状部分に中指Ｇ等以下の指の第２関節を当接させることにより硬貨投入口４Ａに対して指の位置決めを容易に行うことができるので、硬貨投入装置１Ａへの投入目的としての接近動作が容易であり、特に、指に障害を持つ顧客や高齢者にとって確実に行える。さらに、凹状部２Ａの中心より下方に形成される硬貨投入口４Ａの入口側５へ硬貨Ｉを投入するとき親指Ｊが凹状部２Ａの上部に位置するが、凹状部２Ａの上部が広く、かつ、上向きに傾斜しているので親指Ｊが当接して硬貨投入口４Ａの投入の邪魔となることがなく、円滑に投入することができ、子供や身障者も苦労することなく硬貨の投入ができる。
【００１３】
このように本発明の実施の形態によれば、外周枠の内側に中心より偏心した凹状部を形成することによって下部内側に案内面を形成したので、この案内面に中指等の第２関節を当て指を保持でき、凹状部が上向きに傾斜しているので親指が凹状部の上部に当接して邪魔とならず硬貨投入口へ硬貨を導くことができ硬貨の投入がし易い。また、凹状部に対抗して、硬貨投入口を凹状部の中心より下側としたので、凹状部の奥行きが浅い部分に硬貨投入口が形成されるため外周枠の下部内側の案内面で中指等を当てて保持したとき指先が届く接近した位置に硬貨投入口があり、硬貨の投入がし易い。
【００１４】
【発明の効果】
以上説明したように請求項１の発明によれば、外周枠の下部内側に案内面を形成したので、この案内面に中指等の第２関節を当て指を保持でき、凹状部が上向き傾斜しているので親指が凹状部の上部に当接して邪魔とならず硬貨投入口へ硬貨を導くことができ、硬貨が円滑に投入口へ投入することができ、子供や身障者も苦労することなく硬貨の投入ができる。
【００１５】
また、請求項２の発明によれば、硬貨投入口を凹状部の中心より下側としたので、外周枠の下部内側の案内面で中指等を当てて保持したとき凹状部の中でも奥行きが浅く指先が届く接近した位置に硬貨投入口があるので、硬貨の投入がし易い。
【図面の簡単な説明】
【図１】本発明の実施の形態を示す硬貨投入装置の正面図。
【図２】本発明の実施の形態を示す硬貨投入装置の側面図。
【図３】本発明の実施の形態を示す硬貨投入装置の上面図。
【図４】図１のＡ−Ａ断面図。
【図５】本発明の実施の形態を示す硬貨投入装置の硬貨投入の作用を示す説明図。
【図６】従来の硬貨投入装置の正面図。
【図７】図６のＡ−Ａ断面図。
【符号の説明】
１  硬貨投入装置
２、２Ａ  凹状部
３  外周リング
３Ａ１  上側部分
３Ａ２  下側部分
４、４Ａ  硬貨投入口
５  入口側
６  出口側
７，８  取付部
１０  本体パネル
１１  取付金具
１２  ビス
【図１】
0003774942.tif 000002
【図２】
0003774942.tif 000003
【図３】
0003774942.tif 000004
【図４】
0003774942.tif 000005
【図５】
0003774942.tif 000006
【図６】
0003774942.tif 000007
【図７】
0003774942.tif 000008